(57)【特許請求の範囲】
【請求項１】
上端に設けた、出口に絞り部を有する高温還元燃焼ゾーンと、該高温還元燃焼ゾーンの下に設けた、前記絞り部から２段燃焼用空気吹き込みノズルの位置までの領域に冷却部を形成した低温酸化燃焼ゾーンと、該低温酸化燃焼ゾーンの下端に設けた、燃焼灰を排出する排出部とを備えた燃焼室において、前記高温還元燃焼ゾーンにおける平均ガス温度を１４５０〜１５５０℃の範囲とし、前記冷却部において高温還元燃焼ゾーン排出ガス温度を１２００〜１３５０℃まで冷却してから２段燃焼用空気を吹き込んで酸化雰囲気中で燃焼させることを特徴とする倒立形低ＮＯｘ式石油残渣焚きボイラの燃焼室汚れ防止燃焼方法。
【請求項２】
上端に設けた、出口に絞り部を有する高温還元燃焼ゾーンと、該高温還元燃焼ゾーンの下に設けた、前記絞り部から２段燃焼用空気吹き込みノズルの位置までの領域に冷却部を形成した低温酸化燃焼ゾーンと、該低温酸化燃焼ゾーンの下端に設けた、燃焼灰を排出する排出部とを備えた燃焼室であって、該冷却部が、平均ガス温度が１４５０〜１５５０℃の範囲になる還元燃焼ゾーン排出ガスを１２００〜１３５０℃まで冷却するように構成された、倒立形低ＮＯｘ式の石油残渣焚きボイラの燃焼室。
【請求項３】
前記高温還元燃焼ゾーンの絞り部が前記燃焼室水平断面積を２０〜５０％減少させる、請求項２に記載の石油残渣焚きボイラの燃焼室。
【発明の詳細な説明】
【技術分野】
【０００１】
本発明は、オイルコークスのようなバナジウムを含む石油系残渣を燃料として用いるボイラにおいて、バナジウムアタックを防止し燃焼室の汚れを防止する燃焼方法に関する。
【背景技術】
【０００２】
石油資源の保全や燃料コストの節約の観点から、たとえば、アスファルト、オイルコークスなどの劣質燃料をボイラ燃料として用いることがある。しかし、オイルコークスなどの石油系残渣はバナジウム含有量が高いため、通常のボイラにおいて石油残渣を燃料として酸化燃焼させると、低融点の５価のバナジウム酸化物を含む灰が生成する。バナジウム酸化物はボイラ燃焼室の高温で溶融して飴のようになって伝熱面に付着し、伝熱係数を低下させボイラの収熱量を低下させたり、金属面の酸化皮膜を破壊して加速高温酸化（バナジウムアタック）により金属を腐食させたりして、ボイラの継続運転を困難にする。
【０００３】
バナジウム酸化物が伝熱面に付着することを防止する方法として、マグネシウム系の添加剤を燃料に混入して燃焼灰の融点を高め、燃焼室の温度では溶融しにくくして水管表面への灰付着を軽減させる手法がある。しかし、この手法は、燃焼灰量を増大させるばかりでなく、ＮＯｘの発生量が増加するという弊害を伴う。
【０００４】
また、特許文献１には、舶用ボイラにおいて、バナジウムなどを含む粗悪重油を利用するときに、低融点のバナジウム化合物の灰が融解して熱交換器の外面に飴のようになって付着して加速高温酸化により金属を腐食させるいわゆるバナジウムアタックに対し減肉に耐えられるようにするため、バナジウム含有燃焼灰が付着する伝熱管部分にバナジウムアタックの影響が小さい保護部材を当てる方法が開示されている。
特許文献１記載の方法は、保護部材が高価であるばかりでなく、伝熱管毎に伝熱管を覆う複数の板状保護部材を添設するため工事費用も大きい。
【０００５】
なお、出願人は、既に、アスファルト、オイルコークスなどの劣質燃料をボイラ燃料として用いることができる、高温還元燃焼ゾーンと低温酸化燃焼ゾーンを備えた低ＮＯｘボイラを開発している。特許文献２は出願人が開示したもので、特に、炉底に溜まる燃焼灰を連続排出できるようにして長期の連続運転を可能にした倒立形の低ＮＯｘボイラを開示するものである。
特許文献２に開示された低ＮＯｘボイラは、還元雰囲気中で燃料を燃焼させる高温還元燃焼ゾーンを燃焼室の最上流部に形成し、その下流に燃焼ガス流路の絞り部を介して内周壁を水冷壁構造とし側壁に２段燃焼用空気ノズルを取り付けた低温酸化燃焼ゾーンを形成した構成になっている。
【０００６】
高温還元燃焼ゾーンにおいて燃料過濃の状態で平均約１４５０〜１５５０℃の高温を維持して燃焼を行わせ、絞り部を通って低温酸化燃焼ゾーンに侵入してきた燃焼ガスに２段燃焼用空気ノズルから新たに燃焼用空気を供給して低温酸化燃焼ゾーンの下部で１１００℃となるような比較的低温の酸化雰囲気で燃焼を完結させるものである。
石油系残渣等の燃焼におけるＮＯｘの発生量は、還元雰囲気中では高温になるほど少なく、酸化雰囲気中では低温になるほど少なくなるので、石油系残渣等を高温還元燃焼と低温酸化燃焼の２段階に燃焼させることで、効果的にＮＯｘ発生量を削減することができる。
【０００７】
バナジウム還元燃焼灰は１６００℃以上の融点を持つが、還元燃焼においても１４００℃以上の高温状態に長時間滞留させたり、酸化燃焼雰囲気で１２００℃以上に長時間保持すると、バナジウム酸化物が５価の酸化物に変化して、バナジウム燃焼灰は融点が７００℃以下の低融点灰になり、バナジウムアタックを活性化する。
【先行技術文献】
【特許文献】
【０００８】
【特許文献１】特開２００９−１９８１１７号公報
【特許文献２】特開２０１０−１３９１７６号公報
【発明の開示】
【発明が解決しようとする課題】
【０００９】
本発明は、バナジウムアタックの原因となるバナジウム含有量の大きな石油残渣などの劣質燃料を燃料として利用するときに、バナジウム酸化物を含む燃焼灰が溶解して燃焼室水管に付着して熱交換特性を劣化させたり燃焼室内を汚したりしないようにする、石油残渣焚きボイラの燃焼室汚れ防止燃焼方法を提供することを課題とする。
【課題を解決するための手段】
【００１０】
上記課題を解決するため、本発明の石油残渣焚きボイラの燃焼室汚れ防止燃焼方法は、出口に絞り部を有する高温還元燃焼ゾーンと、高温還元燃焼ゾーンの絞り部から２段燃焼用空気の吹き込みノズルの位置までの領域に冷却部を形成した低温酸化燃焼ゾーンとを備えた燃焼室において、高温還元燃焼ゾーンにおける平均ガス温度を１４５０〜１５５０℃の範囲とし、冷却部において還元燃焼ゾーン排出ガス温度を１２００〜１３５０℃まで冷却したところで２段燃焼用空気を吹き込んで酸化雰囲気中で燃焼させることを特徴とする。なお、冷却部は、水流の量と流速、熱ガスの量と流速などを調整することにより、上記冷却を実現することができる。
【００１１】
温度１４５０〜１５５０℃で酸素の乏しい雰囲気にある高温還元燃焼ゾーンにおいて生成されるバナジウム燃焼灰には、融点１７９０℃の２価の酸化バナジウム（ＶＯ）、融点１９７０℃の３価の酸化バナジウム（Ｖ２Ｏ３）、融点１６４０℃の４価の酸化バナジウム（Ｖ２Ｏ４）など、融点が高いものが多く含まれ、融点が６９０℃と低い５価の酸化バナジウム（Ｖ２Ｏ５）の含有量は少ない。
さらに、２段燃焼用空気を吹き込んで酸化燃焼をさせる前に、ガス温度を１２００〜１３５０℃まで冷却することにより、５価の酸化バナジウムの生成を抑制しながら、完全燃焼をさせて熱効率を確保することができる。
【００１２】
このような燃焼条件下では、殆どが高融点の酸化バナジウムで成るバナジウム酸化物は、高温還元燃焼ゾーンと低温酸化燃焼ゾーンとで構成される燃焼室内において融解せず粉体を保つので、炉壁や水管の表面に融着せず、燃焼室の汚れが発生しない。したがって、燃焼室において収熱量を維持した安定な運転を継続することができる。
【００１３】
なお、低ＮＯｘボイラは、倒立形であることがより好ましい。
倒立形低ＮＯｘボイラでは、燃料が燃焼室の上端における高温の還元雰囲気中で燃焼し絞り部から噴出して冷却部で冷やされた後に２段燃焼用空気を混合して完全燃焼する間に生成したバナジウム燃焼灰は、融解せずに粉体を維持して伝熱面を汚さず、燃焼室の底に沈積する。底に堆積したバナジウム燃焼灰は、ボイラ運転中であっても運転しながら底の開口から排出させることができるので、ボイラの長期連続運転が可能になる。
【発明の効果】
【００１４】
本発明の石油残渣焚きボイラの燃焼室汚れ防止燃焼方法は、バナジウム含有量の大きな石油残渣などを燃料として利用するとき、バナジウム燃焼灰が溶解して燃焼室水管に付着し金属を腐食するバナジウムアタックを抑制することにより、高い熱効率を維持してボイラ運転を継続させることができる。
【図面の簡単な説明】
【００１５】
【図１】本発明の１実施形態における第１実施例に係る倒立形低ＮＯｘボイラの概略機能図である。
【図２】本実施形態の倒立形低ＮＯｘボイラの概略斜視透視図である。
【図３】バナジウム酸化物の融点を示すグラフである。
【図４】本実施形態の倒立形低ＮＯｘボイラの燃焼室における燃焼ガス温度の変化を概念的に説明するグラフである。
【図５】燃料の燃え切り性と灰付着量の関係を説明するグラフである。
【発明を実施するための形態】
【００１６】
以下、図面を参照して本発明の実施形態について説明する。なお、図番の異なる図面においても、同一の構成要素には同一の参照番号を付して、理解の容易化を図った。
【００１７】
（第１実施例）
図１は本実施形態の第１実施例に係る低ＮＯｘボイラの概略機能図であり、図２はその概略斜視透視図である。本実施例では、倒立形低ＮＯｘボイラを対象としている。図３はバナジウム酸化物の融点を示すグラフ、図４は燃焼室内の燃焼ガス温度の変化を概念的に説明するグラフ、図５は燃料の燃え切り性と灰付着量の関係を説明するグラフである。
【００１８】
本実施例における倒立形低ＮＯｘボイラは、縦型の燃焼室１の上端部に高温還元燃焼ゾーン２、下段に低温酸化燃焼ゾーン３が形成されており、高温還元燃焼ゾーン２と低温酸化燃焼ゾーン３は高温還元燃焼ゾーン２の絞り部４で接続している。絞り部４は、燃焼室水平断面積を２０〜５０％減少させる開口比を持たせることが好ましい。
高温還元燃焼ゾーン２には、側壁にバーナ５が設けられており、内壁は１４５０℃から１５５０℃の炉内温度に対応する程度の耐火材６で覆われている。高温還元燃焼ゾーン２に設置するバーナ５は、複数のバーナ５が、対向する２側面に水平に並列し、かつ火炎軸が交差しないように配置することが好ましい。
【００１９】
低温酸化燃焼ゾーン３には、冷却部９と２段燃焼部１０と灰排出部８とが形成される。
冷却部９は、図１にレベルＡとレベルＢで仕切られた斜めハッチングで示す領域、すなわち、低温酸化燃焼ゾーン３の入り口になる絞り部４と側壁に設けられた２段燃焼用空気ノズル７の間に形成され、高温還元燃焼ゾーン２から絞り部４を介して供給される１４５０℃から１５５０℃の範囲にある燃焼ガスを、１２００℃から１３５０℃の範囲まで冷却する。
冷却部９は、冷却部の形状や側壁の水管について設計することにより、冷却面の熱交換効率、冷却面の面積、水流の温度と量と流速、熱ガスの温度と量と流速などに基づいて、燃焼ガスの温度低下量を調整して、上記冷却を実現するように構成される。
【００２０】
２段燃焼用空気ノズル７は、２段燃焼部１０の上端部であって冷却部９の最下部に接する炉壁に配置され、冷却された燃焼ガスに新たに空気を供給して、未燃のガスを低温の酸化雰囲気中で２段燃焼させる。２段燃焼部１０は、側壁に水管が配された水冷壁構造となっていて、熱交換により水管中の水から蒸気を発生させる。
水管は燃焼室１の底部で図示しない非加熱降水管に接続され、燃焼室１より高い位置に設けられた図示しない汽水胴から非加熱降水管を介して高温還元燃焼ゾーン１にも十分高圧な冷却水を供給できるように構成されている。
【００２１】
低温酸化燃焼ゾーン３の底部には、灰排出部８が形成される。灰排出部８は、燃焼室の炉底を鉛直線に対して４５°以下、望ましくは３５°程度の傾斜面で形成し、傾斜面の下端に灰排出機構を配設したもので、炉底に溜まった燃焼灰を簡素な構造で効率的に炉外に排出することができる。
２段燃焼部１０の下側面にガス流出口１１が設けられ、ガス通路１２に通じている。ガス通路１２は、燃焼ガスを蒸気過熱器管１３とエコノマイザ１４を通った後、後処理工程に搬送する。蒸気過熱器管１３とエコノマイザ１４が配設されたガス通路の底部にも灰排出口１５が備わっている。
【００２２】
本実施例の倒立形低ＮＯｘボイラは、液状、ガス状、微粉状の燃料を燃焼させ、燃焼ガスから熱エネルギを回収する火力ボイラで、燃焼ガス中に含まれるＮＯｘの量を抑制することができる。また、本実施例の倒立形低ＮＯｘボイラは、燃焼灰を容易に処理することができるので、アスファルト、オイルコークスなどの劣質燃料もボイラ燃料として用いることができる。
本実施例の倒立形低ＮＯｘボイラは、燃焼室１の上端部に燃料と空気を供給して高温還元雰囲気で燃焼させ、燃焼を上端部から下方に向かって進行させ、燃焼室１の中程でより低温の酸化雰囲気中で未燃ガスの燃焼を完結させ、燃焼ガスを下部から取り出すことに特徴がある。
【００２３】
本実施例の倒立形低ＮＯｘボイラで石油系残渣などの劣質燃料を使用するときは、まず、高温還元燃焼ゾーン２におけるバーナ５に燃料と空気を導入して燃焼を開始する。高温還元燃焼ゾーン２では、空気の導入を抑制し、空気比を１以下の、たとえば０．６〜０．８程度の還元雰囲気に維持して、燃料に応じて選択される１４５０℃から１５５０℃の範囲内の高温で燃料を燃焼させる。
高温還元燃焼ゾーン２では、水平に軸をずらせて配されたバーナ５からの火炎により、燃焼ガスが水平方向に渦を巻いて対流する。さらに、高温還元燃焼ゾーン２が高温のため燃焼ガスの密度が低いことと相俟って、燃焼ガスは高温還元燃焼ゾーン２に長時間留まり、耐火材６に保温されて安定的に燃焼が行き渡る。
【００２４】
高温還元燃焼ゾーン２での燃焼で高温になった燃焼ガスは、新たに投入される燃料により燃焼ガスが増加するため高温還元燃焼ゾーン２から押し出されて絞り部４を通って低温酸化燃焼ゾーン３に流下する。
低温酸化燃焼ゾーン３に流下した燃焼ガスは、冷却部９を通る間に１２００℃から１３５０℃の範囲内の温度まで冷却され、２段燃焼部１０に供給される。
２段燃焼部１０では、２段燃焼用空気ノズル７から比較的低温の２段燃焼用空気が十分に供給され空気比が１．１程度になり、燃焼ガスの未燃分が酸化雰囲気内で完全に燃焼される。
２段燃焼部１０で燃焼が完結する燃焼ガスは、２段燃焼部１０内壁の水管と熱交換して１０００℃から１１００℃程度まで温度低下し、燃焼室の下側側面に設けられたガス流出口１１からガス通路１２に流出する。ガス通路１２では、蒸気過熱器管１３およびエコノマイザ１４においてボイラ蒸気及び給水と熱交換を行った後、後処理工程に流出する。
【００２５】
このように、本実施例の倒立形低ＮＯｘボイラでは、燃料が高温還元燃焼ゾーン２において高温還元雰囲気で初期燃焼し、さらに低温酸化燃焼ゾーン３において低温酸化雰囲気で２段燃焼する。
石油系残渣などの燃料が燃焼するときのＮＯｘ発生量は、燃焼温度と空気比に強く依存している。空気比１未満すなわち還元雰囲気下では高温になるほどＮＯｘ発生量が少なく、空気比１以上の酸化雰囲気下では低温になるほどＮＯｘ発生量が少ない。
本実施例の倒立形低ＮＯｘボイラでは、この特性を利用して、高温還元燃焼ゾーン２の高温還元雰囲気下で中間生成物と反応して窒素に還元されるようにしてＮＯｘの生成を抑制し、低温酸化燃焼ゾーン３においてガス温度が下がった段階で２段燃焼用空気を投入して未燃分を完全に燃焼させることでサーマルＮＯｘの生成を抑制するから、効果的にＮＯｘ発生量を削減することができる。
【００２６】
オイルコークスなどの劣質燃料をボイラ燃料として用いる場合には、燃料に含まれるバナジウム金属に注意しなければならない。石油残渣を酸化燃焼させると発生する低融点のバナジウム酸化物はボイラ燃焼室の高温で溶融して伝熱面に付着し、伝熱係数を低下させたり、加速高温酸化（バナジウムアタック）により金属を腐食させたりする。
本実施例の倒立形低ＮＯｘボイラでは、高温還元燃焼ゾーン２において、燃料に含まれるバナジウムは還元雰囲気中で燃焼するため、生成するバナジウム燃焼灰は、原子価５の５酸化２バナジウム（Ｖ２Ｏ５）の含有量が少なく、原子価が４以下のバナジウム酸化物が多く含まれるものとなる。
【００２７】
図３は、バナジウム酸化物の融点を示すグラフである。図３に示すように、酸化度の高い５価の酸化バナジウム（Ｖ２Ｏ５）の融点が６９０℃と比較的低温であるのに対して、２価の酸化バナジウム（ＶＯ）の融点は１７９０℃、３価の酸化バナジウム（Ｖ２Ｏ３）の融点は１９７０℃、４価の酸化バナジウム（Ｖ２Ｏ４）の融点は１６４０℃と高温である。
したがって、１４５０℃から１５５０℃の高温還元燃焼ゾーン２ではバナジウム燃焼灰が溶融せず固相を維持するので、伝熱面に粘着して伝熱効率を劣化させたり金属を腐食させたりすることが十分抑制される。
【００２８】
さらに、高温還元燃焼ゾーン２において発生したバナジウム燃焼灰は、燃焼ガスに伴い、あるいは自重により落下して、低温酸化燃焼ゾーン３に流入する。原子価が小さく融点の高い成分を多く含むバナジウム燃焼灰は、低温酸化燃焼ゾーン３に入ると、初めに冷却部９で１２００℃から１３５０℃の範囲内の温度まで冷却された後に、２段燃焼部１０において酸化雰囲気中で低温燃焼される。
【００２９】
低温酸化燃焼ゾーン３では酸素が過剰な環境下にあるため、高温燃焼すれば原子価の小さい酸化バナジウムはさらに酸化して、融点が６９０℃と低く融解しやすい５価の酸化バナジウム（Ｖ２Ｏ５）に変化するところであるが、２段燃焼部１０では比較的低温で燃焼するため、原子価の小さい酸化バナジウムを５価の酸化バナジウムに変化させる酸化反応は活発でない。このように、速やかに燃焼ガスを冷却することによって、５価の酸化バナジウムの増加を抑え、伝熱管への付着を抑制することができる。
したがって、低温酸化燃焼ゾーン３においてもバナジウム燃焼灰の融解が少なく、多くが灰のまま沈降して燃焼室１の底部の灰排出部８に堆積する。
【００３０】
図４は、本実施例の倒立形低ＮＯｘボイラの燃焼室における燃焼ガス温度の変化を概念的に説明するグラフである。図４のグラフは、燃焼室における燃焼ガスの移動経路を横軸にとり、燃焼ガスの温度を縦軸にとって、還元燃焼ゾーンから酸化燃焼ゾーンに移動するときの燃焼ガスの温度変化を表したものである。グラフ中、還元燃焼ゾーンと酸化燃焼ゾーンの境界に引いた縦線は絞り部の位置、矢印は２次空気を投入する２段燃焼用空気ノズルの位置を示す。
【００３１】
実線で表した線図は、本実施例の石油残渣焚きボイラの燃焼室汚れ防止燃焼方法を用いる場合の燃焼ガス温度変化の設計ラインを示す。
燃焼ガスは、空気比λが約０．７になる高温還元燃焼ゾーンで燃焼して１４５０℃から１５５０℃の温度になり、絞り部を通って低温酸化燃焼ゾーンに流れ下り、冷却部で冷却されガス温度が１２００℃から１３５０℃程度になる領域Ａにおいて、新たに２段燃焼用空気ノズルから冷えた２次空気を供給されて、空気比が約１．１の低温酸化燃焼をする。燃焼室を出るところでは、ガス温度は１０００℃から１１００℃になっている。
なお、還元燃焼ゾーンで生成するバナジウム燃焼灰の融点は１６４０℃以上あり、還元燃焼温度より高いので、粉体を維持している。
【００３２】
図中の設計ラインは、倒立形低ＮＯｘボイラにおいて、超低ＮＯｘ・低煤塵性能を満たし、さらに燃焼室における未燃分を減少させ灰付着量を低減することを目的として設計したものであり、低温酸化燃焼ゾーンで２次空気を吹き込む前のガス温度は、領域Ａとして表した１２００℃から１３５０℃程度にすることが好ましい。
これに対して、図４の領域Ｂとして表した１２００℃以下にした場合は、未燃分が大量に発生して不都合であり、領域Ｃとして表した１３５０℃以上にした場合は、灰付着量が増大して不都合である。
【００３３】
図５は、燃料の燃え切り性と灰付着量の関係を説明するグラフである。グラフは横軸に燃え切り性と灰付着量を任意目盛りで表し、縦軸に酸化燃焼におけるガス温度をとっている。
還元燃焼によって生成したバナジウムの燃焼灰（バナジウム還元灰）は、酸化燃焼により一部が融点の低い５価のバナジウム酸化物（Ｖ２Ｏ５）に変化する。
ガス温度を低くすると、５価のバナジウム酸化物の生成速度が遅くなり、バナジウム酸化物の融着による灰付着量が減少する。しかし、ボイラにおける燃焼温度が低下すると燃え切りが悪くなり未燃分が大量に発生するので、ボイラの効率が低下する。
たとえば、図４，５において領域Ｂとして示したように、燃焼ガスを冷却部で急冷して２次空気投入位置において１２００℃以下８００℃付近になるようにした場合は、燃焼ガス中の未燃分が多くなるため運転条件として適当でない。
【００３４】
また、逆に、領域Ｃで示すように、絞り部から２段燃焼用空気ノズルまでの冷却部で特に積極的に冷却しないで２次空気投入位置におけるガス温度を１３５０℃以上１４００℃程度の高温にする場合は、燃え切り性が良化して未燃分が減少するが、５価のバナジウム酸化物の生成が盛んになるため、灰付着量が増大しバナジウムアタックを受けるようになるので、運転条件として適当でない。
これに対して、本実施例の場合、１４５０℃から１５５０℃の温度の燃焼ガスを冷却部で冷却して２段燃焼用空気ノズルの位置で１２００℃から１３５０℃にする領域Ａで表されるように、燃え切り性と灰付着量の関係のバランスがとれて、燃焼ガス中に未燃分が少なく、燃焼灰中に５価のバナジウム酸化物が少なく燃焼室内の汚れが極めて少なくなり、好ましい。
【００３５】
オイルコークスの燃焼灰組成のおよそ６０〜７０％が酸化バナジウムであるが、その他の主成分としてニッケルやシリコンの酸化物が混入しても、本実施例の低ＮＯｘボイラの燃焼室で速やかにガス冷却することにより溶融が抑制されるので、水管表面に付着する燃焼灰の量は極めて少ない。
【００３６】
灰排出部８は急勾配の傾斜面になっているため、炉底に向かって落下する固体の燃焼灰は灰排出部８の底部に集まり、底部に堆積した燃焼灰は、灰排出機構により排出することができる。灰排出機構は、常時開口する形態としても良いし、たとえば蓋状の底板を備えて開閉可能とし、必要時に底板を開いて灰を排出、回収するようにしてもよい。
なお、燃焼ガス中に同伴された残留灰分は、蒸気過熱器管１３およびエコノマイザ１４のあるガス通路１２で燃焼ガスが低速になるとガスから分離して落下し、ガス通路１２に設けられたガス通路用の灰排出口１５で回収される。
【００３７】
また、灰排出部８付近を流通する燃焼ガスは、２段燃焼部１０で完全に燃焼しているため、不完全燃焼により生じる一酸化炭素や硫化物等の有害物質が少なく毒性が低い。また、灰排出機構が２段燃焼部１０の外にあるため、開口部から大気が流入しても冷却による燃焼の阻害や、空気比が崩れることによる脱硝効果の低下の恐れが少ない。
【００３８】
本実施例では、ボイラに灰排出部８を設けたことにより、炉の稼働中にも安全に灰を排出することができるため、従来の低ＮＯｘボイラでは成し得なかった長期間連続運転が可能となり、保守コストが削減される。また、例えばＣ重油、アスファルト、オイルコークスなどの、灰分を多く含む劣質燃料を使用することができるため、燃料コストを低減することができる。
さらに、燃料にバナジウム金属が含まれる場合にも、融解しにくい種類のバナジウム燃焼灰を生成させるので、熱交換面に融着することを防いで熱交換効率を維持させ、バナジウムアタックを防止して水管などの金属の腐食を抑制することができる。
【産業上の利用可能性】
【００３９】
本発明の石油残渣焚きボイラの燃焼室汚れ防止燃焼方法は、バナジウム含有量の大きな石油残渣などをボイラ燃料として利用するとき、バナジウム燃焼灰が溶解して燃焼室水管に付着し金属を腐食するバナジウムアタックを抑制することにより、高い熱効率を維持してボイラ運転を継続させることができる。
【符号の説明】
【００４０】
１  燃焼室
２  高温還元燃焼ゾーン
３  低温酸化燃焼ゾーン
４  絞り部
５  バーナ
６  耐火材
７  ２段燃焼用空気ノズル
８  灰排出部
９  冷却部
１０  ２段燃焼部
１１  ガス流出口
１２  ガス通路
１３  蒸気過熱器管
１４  エコノマイザ
１５  灰排出口
【図１】
0005496862.tif 000002
【図２】
0005496862.tif 000003
【図３】
0005496862.tif 000004
【図４】
0005496862.tif 000005
【図５】
0005496862.tif 000006